(57)【特許請求の範囲】
【請求項１】
生体試料中の測定対象物質を抗原抗体反応を用いて測定する免疫学的測定方法において、カリックス（８）アレーン、カリックス（６）アレーン、及びβ−シクロデキストリンから選ばれる大環状化合物の存在下に反応を行うことを特徴とする免疫学的測定におけるヘモグロビンの影響回避方法。
【請求項２】
免疫学的測定方法が、抗体を感作した不溶性担体を用いるものである請求項１記載の方法。
【請求項３】
免疫学的測定方法が、ラテックス凝集法又は金属コロイド凝集法である請求項１又は２記載の方法。
【請求項４】
測定対象物質が蛋白抗原である請求項１〜３のいずれか１項記載の方法。
【請求項５】
カリックス（８）アレーン、又はカリックス（６）アレーンの反応系における終濃度が０．００５ｍＭ〜４ｍＭである請求項１〜４のいずれか１項記載の方法。
【請求項６】
生体試料中の測定対象物質を抗原抗体反応を用いて測定する免疫学的測定方法に使用される試薬であって、カリックス（８）アレーン、カリックス（６）アレーン、及びβ−シクロデキストリンから選ばれる大環状化合物を主成分とするヘモグロビンの影響回避剤を含有することを特徴とする免疫学的測定用試薬。
【請求項７】
大環状化合物がカリックス（８）アレーン、又はカリックス（６）アレーンである請求項６記載の免疫学的測定用試薬。
【請求項８】
免疫学的測定方法が、抗体を感作した不溶性担体を用いるものである請求項６又は７記載の免疫学的測定用試薬。
【請求項９】
カリックス（８）アレーン、又はカリックス（６）アレーンの反応系における終濃度が０．００５ｍＭ〜４ｍＭである請求項６〜８のいずれか１項記載の免疫学的測定用試薬。
【発明の詳細な説明】
【技術分野】
【０００１】
本発明は免疫学的測定における感度増強方法又はヘモグロビンの影響回避方法及びそのための試薬に関する。
【背景技術】
【０００２】
近年、生体試料中の微量物質を測定するために免疫反応を利用する測定方法が広く用いられている。免疫学的測定方法としては、ＲＩＡ法、ＥＩＡ法、免疫比濁法、ラテックス凝集法、金属コロイド凝集法、イムノクロマト法等多くの方法がある。その中でもラテックス凝集法や金属コロイド凝集法は反応液の分離や洗浄を行わないため、自動化に適しており汎用されている。免疫学的測定では、一般に、測定する生体試料中の被測定物質濃度に応じた方法の使い分けがされている。ラテックス凝集法や金属コロイド凝集法は免疫比濁よりも微量物質の測定が行えるが、ＲＩＡ法やＥＩＡ法ほどの微量物質の測定は行うことができない。何れの免疫学的測定方法においても、反応系の微量化や測定時間の短縮が望まれており、測定感度を増強させることが重要な課題である。【０００３】
測定感度を増強させる技術としては、ポリエチレングリコールやデキストラン等の水溶性多糖類を反応系に添加する技術が知られている（特許文献１及び２）。しかしながら、これらの添加剤は、分子量分布を有し、単一化合物ではないため、安定した感度増強効果が得られない、等の欠点があった。【０００４】
また、何れの免疫学的測定方法においても、目的とする抗原抗体反応以外に試料中の種々の夾雑物質との非特異反応による凝集や吸着が生じ、測定精度が低下するという問題がある。特に血漿等の生体由来の試料を用い、該試料中に赤血球由来のヘモグロビンが含まれる場合には、免疫学的測定における測定値にヘモグロビンが影響を与えることがある。しかし、溶血の度合いは検体によって異なる為、正確な測定値を得ることができないことから、その影響を回避する方法を講じることが必要である。【０００５】
従来から、ヘモグロビンの影響を回避する方法として、界面活性剤を添加する方法（特許文献３）等が考案されている。しかし、免疫学的測定方法において、界面活性剤を添加する方法では測定感度が低下し、対象物質を精度良く測定することができないという問題がある。
また、特許文献４には、抗ヒトＣＲＰウサギ血清を用いたヒト血清中のＣＲＰの免疫学的測定方法において、多価フェノールを添加することにより、補体成分による非特異反応を抑制できることが記載され、具体例として硫酸カリックス（６）アレーンを５ｍＭ添加することにより補体等による非特異反応が抑制できたことが記載されている。しかし、この特許文献４には、ヒト血清を試料とし、抗ヒトＣＲＰウサギ血清を用いてＣＲＰを測定する場合における補体の影響に対するカリックスアレーン類の作用が記載されているだけであり、カリックスアレーン類が感度に対してどのような作用をするか、また、ヘモグロビンの影響に対する効果については全く記載されていない。更に、測定対象抗原又は抗体を、当該抗原に対する抗体又は当該抗体に対する抗原を感作した不溶性担体（例えばラテックス粒子）を用いて測定する方法については何ら記載されていない。
【先行技術文献】
【特許文献】
【０００６】
【特許文献１】特開昭５８−０４７２５６号公報
【特許文献２】特開昭５９−２２０６４６号公報
【特許文献３】特開昭６０−１６８０５０号公報
【特許文献４】特開２０００−３２９７６４号公報
【発明の概要】
【発明が解決しようとする課題】
【０００７】
本発明の課題は、測定対象の免疫学的測定における感度増強方法及び感度が増強した免疫学的測定用試薬を提供することにある。【０００８】
また、本発明の課題は、血漿等の生体由来試料中の測定対象物質を免疫学的測定法を用いて測定する系におけるヘモグロビンの影響を回避する方法を提供することにある。
【課題を解決するための手段】
【０００９】
そこで本発明者らは、免疫反応における測定の感度増強方法について検討してきたところ、全く意外にも、反応系にカリックスアレーン類等の大環状化合物を添加した場合、反応系での終濃度５ｍＭでは試薬ブランク値が異常となってしまい、測定対象物質の濃度依存的な測定感度の増強が認められないにもかかわらず、反応系での終濃度０．００５〜４ｍＭという低濃度では、測定感度の増強が認められることから、測定対象物質濃度が低濃度の試料を用いた場合であっても正確に測定できることを見出した。また、反応系中に大環状化合物を添加した場合、試料中のヘモグロビンの影響を回避でき、測定対象物質濃度が低濃度であっても正確に測定できることを見出した。【００１０】
すなわち、本発明は、生体試料中の測定対象物質を抗原抗体反応を用いて測定する免疫学的測定方法において、大環状化合物の存在下に反応を行うことを特徴とする免疫学的測定における感度増強方法又はヘモグロビンの影響回避方法を提供するものである。
また、本発明は、試料中の測定対象物質を抗原抗体反応を用いて測定する免疫学的測定方法において、大環状化合物を主成分とする感度増強剤又はヘモグロビンの影響回避剤を含有することを特徴とする免疫学的測定用試薬を提供するものである。
【発明の効果】
【００１１】
本発明の方法によれば、測定対象物質の測定感度が増強するので、測定対象物質の濃度が低い試料を用いた場合であっても正確な測定が可能となる。また、本発明の免疫学的測定方法によれば、生体由来試料中のヘモグロビンの影響が回避できるので、該試料がヘモグロビンを含有する場合であっても正確な測定が可能となる。また、前記大環状化合物（例えばカリックスアレーン類やシクロデキストリン等）は、単一化合物として入手可能であるから、ロット間の差がなく、安定した測定精度の向上効果が得られる。
【発明を実施するための形態】
【００１２】
本発明の方法における試料は、生体試料が好ましく、特に赤血球や赤血球由来のヘモグロビンが存在する可能性のある生体由来試料が好ましい。例えば、髄液、涙液、組織液、血液、血漿、および血清などが挙げられる。このうち、血液由来試料、すなわち血液、血漿、および血清などの場合は、ヘモグロビンを含む場合が多く、特に有用である。
【００１３】
本発明において、免疫学的測定方法としては、測定対象物質と当該対象物質と抗原抗体反応が可能な物質との抗原抗体反応を使用した免疫学的測定方法であれば特に限定されない。例えば、免疫拡散法（ＳＲＩＤ法）、免疫比濁法、赤血球凝集法、ラテックス凝集法や金属コロイド凝集法、ＲＩＡ法、ＥＩＡ法が挙げられる。中でも、ラテックス凝集法や金属コロイド凝集法は、測定感度が高く、汎用の自動分析装置への適用など、自動化にも適しており好ましい。特に、抗体を感作した不溶性担体を用いる方法がより好ましい。
該不溶性担体としては、有機高分子粒子、無機物質粒子、赤血球などが挙げられる。有機高分子粒子としては、不溶性アガロース、セルロース、不溶性デキストランなどの粒子が例示でき、好ましくはラテックス粒子が良い。該ラテックス粒子としては、例えばポリスチレン、スチレン−メタクリル酸共重合体、スチレン−グリシジル（メタ）アクリレート共重合体、スチレン−スチレンスルホン酸塩共重合体、メタクリル酸重合体、アクリル酸重合体、アクリロニトリルブタジエンスチレン共重合体、塩化ビニル−アクリル酸エステル共重合体、ポリ酢酸ビニルアクリレートなどの粒子が挙げられる。さらには、種々の変性ラテックス（例えば、カルボン酸変性ラテックス）等を必要に応じて用いてもよい。用いるラテックス粒子の平均粒径は、測定機器などによって０．０５〜０．５０μｍのものが適宜選択される。無機物質粒子としてはシリカ、アルミナなどが挙げられる。
【００１４】
本発明の方法における測定対象物質としては、免疫学測定方法で測定される物質であれば特に限定されず種々の物質、例えば，抗原、ハプテン、抗体、ホルモン、薬剤等が挙げられる。中でも、抗原を測定対象物質とするものが好ましく、蛋白抗原がより好ましい。具体的には、例えば、ＣＲＰ、フィブリン及びフィブリノーゲン分解産物、Ｄダイマー、可溶性フィブリン（ＳＦ）、リポ蛋白（ａ）（Ｌｐ（ａ））、マトリックスメタロプロテアーゼ−３（ＭＭＰ−３）、前立腺特異抗原（ＰＳＡ）、ＩｇＧ、ＩｇＡ、ＩｇＭ、ＩｇＥ、ＩｇＤ、抗ストレプトリジンＯ、リウマチ因子、トランスフェリン、ハプトグロビン、α１−アンチトリプシン、α１−アシドグリコプロテイン、α２−マクログロブリン、ヘモペキシン、アンチトロンビン−ＩＩＩ、α−フェトプロテイン、ＣＥＡ（カルシノエンブリオニツク抗原）、フェリチン、ＨＢｓ−Ａｇ（Ｂ型肝炎外被抗原）、Ａｎｔｉ−ＨＢｓ（抗Ｂ型肝炎外被抗体）、ＨＢｅ−Ａｇ（Ｂ型肝炎ｅ抗原）、Ａｎｔｉ−ＨＢｅ（抗Ｂ型肝炎ｅ抗体）、Ａｎｔｉ−ＨＢｃ（抗Ｂ型肝炎コア抗体）などを挙げることができる。中でもＣＲＰ、フィブリン及びフィブリノゲン分解産物、Ｄダイマー、ＳＦ、Ｌｐ（ａ）、ＭＭＰ−３、ＰＳＡなどが好ましい。しかし、これらに限定されるものではない。
【００１５】
上記測定対象物質と抗原抗体反応しうる物質（以下、免疫反応物質という）としては、測定対象物質が抗原やハプテン等の場合は、その抗体が用いられ、測定対象物が抗体の場合にはその抗原が用いられる。免疫反応物質としての抗原及び抗体は慣用の方法にて調製することができる。また、抗体は、ポリクローナル抗体、モノクローナル抗体のいずれでもよく、さらに、Ｆａｂ画分、Ｆ（ａｂ’）２画分などであってもよい。
【００１６】
本発明で使用される大環状化合物は、その分子内孔に金属イオンや無機物、有機物などの取り込みを可能とする機能分子である。該大環状化合物としては特に限定されず、各種のものを用いることができる。例えば、カリックスアレーン類、シクロデキストリン、クラウンエーテル等を用いることができる。また、これらの誘導体や修飾体も用いることができる。中でも、疎水性分子を包接しやすい空孔を有するが、少なくとも４残基の親水性官能基を有するものが好ましい。該親水性官能基としては、ヒドロキシル基、カルボキシル基、スルホン酸基などが挙げられる。特に好ましい該大環状化合物としては、例えばカリックスアレーン類やシクロデキストリン等が挙げられる。
【００１７】
カリックスアレーン類は、フェノールを基本骨格とし、フェノールの３〜２０分子、好ましくは４〜８分子をメチレン基で環状に重合させた環状オリゴマーである。カリックスアレーン類としては特に制限されず、各種のものを使用することができる。例えば、カリックス（４）アレーン、カリックス（６）アレーン、カリックス（８）アレーン、カリックス（４）アレーンスルホン酸、カリックス（６）アレーンスルホン酸、カリックス（８）アレーンスルホン酸、カリックス（４）アレーン酢酸、カリックス（６）アレーン酢酸、カリックス（８）アレーン酢酸、カリックス（４）アレーンカルボン酸、カリックス（６）アレーンカルボン酸、カリックス（８）アレーンカルボン酸、カリックス（４）アレーンアミン、カリックス（６）アレーンアミン、カリックス（８）アレーンアミン、それらの塩などが例示される。中でも、カリックス（６）アレーンスルホン酸、カリックス（８）アレーンスルホン酸、それらの塩が好ましい。尚、Ｃａｌｉｘ［６］ａｒｅｎｅ  ｐ−ｓｕｌｆｏｎｉｃ  ａｃｉｄ，ｈｅｘａｓｏｄｉｕｍ  ｓａｌｔ，ｈｙｄｒａｔｅもしくはＣａｌｉｘ［８］ａｒｅｎｅ  ｐ−ｓｕｌｆｏｎｉｃ  ａｃｉｄ，ｏｃｔａｓｏｄｉｕｍ  ｓａｌｔ，ｈｙｄｒａｔｅは、同仁化学研究所より市販されているもの等を用いることができ、入手が容易である点で好ましく使用できる。また、レゾルシノールを基本骨格としたレゾルシンアレン、ピロガロールを基本骨格としたピロガロールアレン、ピロールを基本骨格としたカリックスピロール等も用いることができる。これらのカリックスアレーン類は２種以上を併用してもよい。反応系におけるカリックスアレーン類の濃度は、終濃度で好ましくは０．００５〜４ｍＭ、より好ましくは０．００５〜３ｍＭ、さらに好ましくは０．００５〜２．５ｍＭ、特に好ましくは、０．０１〜２ｍＭとなるように調整されて使用される。
【００１８】
シクロデキストリンは、数分子のＤ−グルコースがα（１→４）グルコシド結合によって結合し環状構造をとった環状オリゴ糖の一種であり、グルコースが５個以上結合したものが知られている。一般的にはグルコースが６個から８個結合したものが使用されており、６個結合しているものがα−シクロデキストリン（シクロヘキサアミロース）、７個結合しているものがβ−シクロデキストリン（シクロヘプタアミロース）、８個結合しているものがγ−シクロデキストリン（シクロオクタアミロース）であるが、これらに限定されるものではない。例えば、前記の各種デキストリンの修飾体なども利用可能であり、シクロデキストリンの水酸基の水素原子が種々の置換基で置換されたシクロデキストリン又はそれらの塩が用いられる。例えば、アルキル基で置換されたアルキル化シクロデキストリン、アシル基で置換されたアシル化シクロデキストリン、カルボキシアルキル基で置換されたカルボキシアルキル化シクロデキストリン、ヒドロキシアルキル基で置換されたヒドロキシアルキル化シクロデキストリン、スルホアルキル基で置換されたスルホアルキル化シクロデキストリン、又はそれらの塩が挙げられる。また、シクロデキストリンの水酸基と各種の酸がエステル結合されたシクロデキストリン又はそれらの塩、例えばシクロデキストリン硫酸エステル、又はそれらの塩（ナトリウム塩は硫酸シクロデキストリンともいう。）、シクロデキストリン燐酸エステル又はそれらの塩等が挙げられる。さらに、シクロデキストリンを構成するグルコースの６位の水酸基とグルコース、マルトース等の糖の水酸基が脱水縮合した分岐シクロデキストリンなどが挙げられる。
【００１９】
これらのシクロデキストリンの中でも、β−シクロデキストリンが好ましく使用できる。
反応系におけるシクロデキストリンの濃度は、１〜４００ｍＭ、特に１〜１００ｍＭが好ましい。
【００２０】
上記の大環状化合物のうち、カリックスアレーン類を主成分とするのが好ましい。特に測定の感度増強剤として使用する場合には、カリックスアレーン類を反応系において終濃度０．００５〜４ｍＭ、さらに０．００５〜３ｍＭ、特に０．００５〜２．５ｍＭとなるようにするのが好ましい。また、ヘモグロビンの影響回避剤として使用する場合には、カリックスアレーン類を反応系において終濃度０．００５〜３ｍＭ、さらに０．０１〜２ｍＭとなるようにするのが好ましい。
【００２１】
なお、反応系には、必要に応じて、ポリエチレングリコール、デキストラン、ゼラチン、塩化ナトリウム、ＥＤＴＡ等の慣用の添加剤を加えてもよい。
【００２２】
前記大環状化合物は、抗原抗体反応系中に存在させればよく、抗原抗体反応前に試料中に添加してもよいし、免疫反応物質を含有する試薬中に添加しておいてもよい。また、反応の際に用いる緩衝液中に添加しておいてもよい。
【００２３】
吸光度の測定は、エンドポイント法、レートアッセイ法のいずれで行ってもよい。なお、本発明の方法は上記の方法に限定されるものではなく、使用する免疫学的測定方法に応じて適宜変更して実施することができ、使用する緩衝液、測定条件なども適宜変更すればよい。
【００２４】
本発明の方法に用いる試薬は、上記の方法に使用される試薬であって、当該試薬が前記大環状化合物を主成分とする測定の感度増強剤又はヘモグロビンの影響回避剤を含有することからなる。上記の試薬は、免疫学的測定方法の種類に応じて適宜設定することができ、また複数の構成試薬からなるキットであってもよく、この場合には構成試薬の少なくとも１種が前記大環状化合物を含有すればよい。
【００２５】
本発明の免疫学的測定方法におけるｐＨとしては、４．５〜９．５、好ましくは５．５〜８．５の範囲である。ｐＨの維持のためには適当な緩衝剤、例えばリン酸緩衝液、トリス塩酸緩衝液、コハク酸緩衝液、グリシン緩衝液あるいはグリシルグリシン、ＭＥＳ（２−（Ｎ−モノホリノ）エタンスルホン酸）、ＨＥＰＥＳ（Ｎ−２−ヒドロキシエチル−ピペラジン−Ｎ’−エタンスルホン酸）、ＴＥＳ（Ｎ−トリス（ヒドロキシメチル）メチル−２−アミノエタンスルホン酸）、ＭＯＰＳ（３−（Ｎ−モルホリノ）プロパンスルホン酸）、ＰＩＰＥＳ（ピペラジン−１，４−ビス（２−エタンスルホン酸））、ＤＩＰＳＯ（３−（Ｎ’Ｎ−ビス（２−ヒドロキシエチル）アミノ）−２−ヒドロキシプロパンスルホン酸）、Ｔｒｉｃｉｎｅ（トリス（ヒドロキシメチル）メチルグリシン）、ＴＡＰＳ（Ｎ−トリス（ヒドロキシメチル）メチル−３−アミノプロパンスルホン酸）等のグッド緩衝液が好適に用いられる。使用濃度は１〜５００ｍＭ、好ましくは３〜３００ｍＭである。
【００２６】
本発明の免疫反応液中にはアジ化ナトリウム、動物血清、γ−グロブリン又はヒトＩｇＧやＩｇＭに対する特異抗体、アルブミン、塩化ナトリウムやその他の無機塩類、糖類、アミノ酸類、ＥＤＴＡ等のキレート剤、ＤＴＴ等のＳＨ試薬や界面活性剤等を含有させてもよい。アジ化ナトリウムの濃度としては０．０１〜１％、好ましくは０．０３〜０．３％である。動物血清、γ−グロブリン又は特異抗体やアルブミンは牛、馬、豚、羊、兎、ヒト、ラット等の由来のものが使用でき、それらの変性物や分解物も選択でき、添加濃度も適宜選択できる。塩化ナトリウムは生理的食塩濃度付近が好ましい。その他の物質についても使用濃度は適宜選択できる。
【実施例】
【００２７】
以下、実施例に基づいて本発明をより詳細に説明するが、本発明はこれらの実施例に限定されるものではない。【００２８】
実施例１（可溶性フィブリン（ＳＦ）の測定）
（１）第一試薬の調製
Ｃａｌｉｘ［８］ａｒｅｎｅ  ｐ−ｓｕｌｆｏｎｉｃ  ａｃｉｄ，ｏｃｔａｓｏｄｉｕｍ  ｓａｌｔ，ｈｙｄｒａｔｅ若しくはＣａｌｉｘ［６］ａｒｅｎｅ  ｐ−ｓｕｌｆｏｎｉｃ  ａｃｉｄ，ｈｅｘａｓｏｄｉｕｍ  ｓａｌｔ，ｈｙｄｒａｔｅ（同仁化学研究所社製）を０．０１〜１０ｍＭ（反応系での終濃度０．００５〜５ｍＭ）の濃度で、０．４％  牛血清アルブミン及び０．５Ｍ塩化ナトリウムを含む３０ｍＭトリス塩酸緩衝液（ｐＨ８．５）に添加して第一試薬とした。尚、比較例としてはカリックスアレーン類を含まない第一試薬を用いた。【００２９】
（２）第二試薬（抗可溶性フィブリン（ＳＦ）抗体固定化粒子懸濁液）の調製
抗ＳＦモノクローナル抗体を、２０ｍＭトリス塩酸緩衝液（ｐＨ７．５）で０．７ｍｇ／ｍＬとなるように希釈した抗体液と、平均粒径０．２μｍのポリスチレン系ラテックス（積水メディカル社製）１％懸濁液を等量ずつ混和し、４℃で２時間攪拌した。さらに１％牛血清アルブミンを等量加え１時間攪拌した後、遠心分離により沈殿部を集め、０．５％牛血清アルブミンを含む５ｍＭ  ＭＯＰＳ（ｐＨ７）で懸濁し、第二試薬（抗ＳＦ抗体固定化粒子懸濁液）を調製した。【００３０】
（３）試料
精製したフィブリノゲンにトロンビンを作用させて調製した酸可溶性ｄｅｓＡＡＢＢフィブリンを、ヒトクエン酸血漿にそれぞれ最終濃度１０．３μｇ／ｍＬとなるように添加して可溶性フィブリンを調製した。尚、試薬ブランクの測定には生理食塩水を用いた。【００３１】
（４）測定
試料３μＬに第一試薬１００μＬを加え、３７℃で５分間加温後、第二試薬１００μＬを加えて撹拌後１〜５分の主波長５７０ｎｍ及び副波長８００ｎｍにおける吸光度変化量を測定した。得られた吸光度値を表１及び表２に示した。【００３２】
【表１】
0005443355.tif 000002
【００３３】
【表２】
0005443355.tif 000003
【００３４】
表１及び２から明らかなように、カリックスアレーン類を、反応系終濃度５ｍＭで添加すると試薬ブランク値が異常となり、正確な測定ができないものの、反応系終濃度０．００５〜４ｍＭの範囲ではＳＦの測定感度が上昇していることがわかる。【００３５】
実施例２（可溶性フィブリン（ＳＦ）の測定）
実施例１同様、酸可溶性ｄｅｓＡＡＢＢフィブリンを、ヒトクエン酸血漿にそれぞれ最終濃度１０．３、及び２０．１μｇ／ｍＬとなるように添加して可溶性フィブリンを調製し、第一試薬に反応系終濃度で０．００５〜２ｍＭの各カリックスアレーンを含む試薬を用いて測定した。尚、第二試薬は実施例１と同じものを用いた。また、比較例としてはカリックスアレーン類を含まない第一試薬を用いた。得られた吸光度とＳＦ濃度の関係を表３及び４に示した。【００３６】
【表３】
0005443355.tif 000004
【００３７】
【表４】
0005443355.tif 000005
【００３８】
表３及び４から明らかなように、カリックスアレーン類を添加すると、反応系終濃度０．００５〜２ｍＭの範囲では比較例のカリックスアレーン類を含まない場合に比べ測定感度が上昇していることがわかる。また、その反応は抗原濃度依存的であり、特に、低値域の測定に有用であることがわかる。【００３９】
実施例３（リポ蛋白（ａ）（Ｌｐ（ａ））の測定）
（１）第一試薬の調製
Ｃａｌｉｘ［８］ａｒｅｎｅ  ｐ−ｓｕｌｆｏｎｉｃ  ａｃｉｄ，ｏｃｔａｓｏｄｉｕｍ  ｓａｌｔ，ｈｙｄｒａｔｅ若しくはＣａｌｉｘ［６］ａｒｅｎｅ  ｐ−ｓｕｌｆｏｎｉｃ  ａｃｉｄ，ｈｅｘａｓｏｄｉｕｍ  ｓａｌｔ，ｈｙｄｒａｔｅ（同仁化学研究所社製）を０．０１〜５ｍＭ（反応系での終濃度０．００５〜２．５ｍＭ）の濃度で、０．２Ｍ塩化ナトリウムを含む０．０５Ｍ  グリシン緩衝液（ｐＨ９）に混和し、第一試薬を調製した。尚、比較例としてはカリックスアレーン類を含まない第一試薬を用いた。【００４０】
（２）第二試薬（抗Ｌｐ（ａ）抗体固定化粒子懸濁液）の調製
精製ヒトａｐｏ（ａ）を免疫原として、定法によりマウスから得られた、単独種類の使用により免疫凝集を生じさせるモノクローナル抗体（工業技術院生命工学工業技術研究所に寄託されたハイブリドーマ２８２０５（ＦＥＲＭ  ＢＰ−３７５５）により生産されるもの。以下「抗Ｌｐ（ａ）モノクローナル抗体」と称する。〕を１．４ｍｇ／ｍＬの濃度で０．０５Ｍグリシン緩衝液（ｐＨ９）に混和した液と平均粒径０．１μｍのポリスチレン系ラテックス（積水メディカル社製）５％懸濁液を等量加え、４℃にて２時間撹拌した。遠心分離により上清を除去した後、沈殿部に２％牛血清アルブミンを含む０．０５Ｍグリシン緩衝液（ｐＨ９）を加え、４℃で一晩撹拌した。遠心分離により沈殿部を集め、これを２％牛血清アルブミンを含む０．０５Ｍグリシン緩衝液（ｐＨ９）で懸濁し、抗Ｌｐ（ａ）抗体固定化粒子懸濁液を調製した。【００４１】
（３）試料
Ｌｐ（ａ）濃度既知血清を用いた。【００４２】
（４）Ｌｐ（ａ）の測定
Ｌｐ（ａ）を含有する試料液２．５μＬに第一試薬１００μＬを加え、３７℃で５分間加温後、第二試薬１００μＬを加えて撹拌後１〜５分の主波長５７０ｎｍ及び副波長８００ｎｍにおける吸光度変化量を測定した。得られた吸光度とＬｐ（ａ）濃度の関係を表５及び６に示した。【００４３】
【表５】
0005443355.tif 000006
【００４４】
【表６】
0005443355.tif 000007
【００４５】
表５及び６から明らかなように、カリックスアレーン類を反応系での終濃度０．００５〜２．５ｍＭ添加するとＬｐ（ａ）の測定感度が上昇していることが判る。【００４６】
実施例４（可溶性フィブリン（ＳＦ）の測定）
（１）第一試薬の調製
Ｃａｌｉｘ［６］ａｒｅｎｅ  ｐ−ｓｕｌｆｏｎｉｃ  ａｃｉｄ，  ｈｅｘａｓｏｄｉｕｍ  ｓａｌｔ，ｈｙｄｒａｔｅ（同仁化学研究所社製）を０．０１〜６ｍＭ（反応系終濃度０．００５〜３ｍＭ）、及び０．４％牛血清アルブミン、０．５Ｍ塩化ナトリウムを含む３０ｍＭトリス塩酸緩衝液（ｐＨ８．５）を第一試薬とした。尚、比較例としてはカリックスアレーン類を含まない第一試薬を用いた。【００４７】
（２）第二試薬（抗可溶性フィブリン（ＳＦ）抗体固定化粒子懸濁液）の調製
抗ＳＦモノクローナル抗体を２０ｍＭトリス塩酸緩衝液（ｐＨ７．５）で０．７ｍｇ／ｍＬとなるように希釈した抗体液と、平均粒径０．２μｍのポリスチレン系ラテックス（積水メディカル社製）１％懸濁液を等量ずつ混和し、４℃で２時間攪拌した。さらに１％牛血清アルブミンを等量加え１時間攪拌した後、遠心分離により沈殿部を集め、０．５％牛血清アルブミンを含む５ｍＭ  ＭＯＰＳ（ｐＨ７）で懸濁し、第二試薬（抗ＳＦ抗体固定化粒子懸濁液）を調製した。【００４８】
（３）試料
ヘモグロビン試料として、干渉チェックＡプラス（Ｓｙｓｍｅｘ社製）の溶血ヘモグロビンを用いて、ヘモグロビン濃度０〜５００ｍｇ／ｄＬの試料を調製した。【００４９】
（４）測定
試料３μＬに第一試薬１００μＬを加え、３７℃で５分間加温後、第二試薬１００μＬを加えて撹拌後１〜５分の主波長５７０ｎｍ及び副波長８００ｎｍにおける吸光度変化量を測定した。得られた吸光度の測定結果を表７に示した。【００５０】
【表７】
0005443355.tif 000008
【００５１】
表７から明らかなように、大環状化合物としてカリックス（６）アレーンを添加した場合、検討した反応系終濃度０．００５〜３ｍＭの範囲で、ヘモグロビンの吸光度測定値への影響が抑制されていることがわかる。【００５２】
実施例５（可溶性フィブリン（ＳＦ）の測定）
実施例４のＣａｌｉｘ［６］ａｒｅｎｅ  ｐ−ｓｕｌｆｏｎｉｃ  ａｃｉｄ，ｈｅｘａｓｏｄｉｕｍ  ｓａｌｔ，ｈｙｄｒａｔｅに変えて、Ｃａｌｉｘ［８］ａｒｅｎｅ  ｐ−ｓｕｌｆｏｎｉｃ  ａｃｉｄ，ｏｃｔａｓｏｄｉｕｍ  ｓａｌｔ，ｈｙｄｒａｔｅ（同仁化学研究所社製）を第一試薬中で０．０１〜４ｍＭ（反応系終濃度０．００５〜２ｍＭ）を用いた以外は、実施例４と同様に測定した。得られた吸光度の測定結果を表８に示した。【００５３】
【表８】
0005443355.tif 000009
【００５４】
表８から明らかなように、大環状化合物としてカリックス（８）アレーンを添加した場合、検討した反応系終濃度０．００５〜２ｍＭの範囲で、ヘモグロビンの吸光度測定値への影響が抑制されていることがわかる。【００５５】
実施例６（可溶性フィブリン（ＳＦ）の測定）
実施例４のＣａｌｉｘ［６］ａｒｅｎｅ  ｐ−ｓｕｌｆｏｎｉｃ  ａｃｉｄ，ｈｅｘａｓｏｄｉｕｍ  ｓａｌｔ，ｈｙｄｒａｔｅに変えて、β−シクロデキストリンを第一試薬中で１０ｍＭ若しくは４０ｍＭ（反応系終濃度５若しくは２０ｍＭ）を用いた以外は、実施例４と同様に測定した。得られた吸光度の測定結果を表９に示した。【００５６】
【表９】
0005443355.tif 000010
【００５７】
表９から明らかなように、大環状化合物としてβ−シクロデキストリンを添加した場合、検討した反応系終濃度５〜２０ｍＭの範囲で、ヘモグロビンの吸光度測定値への影響が抑制されていることがわかる。